(57)【特許請求の範囲】
【請求項１】
発射位置に置かれた球を弾球するプランジャと、プランジャを進退動させるソレノイド本体とを備える弾球発射装置を、ベース板に取り付けるための弾球発射装置の支持構造において、
前記ソレノイド本体は、その前後に配設された接続部を介して前記ベース板に取付けられるものとし、
該接続部は、
ソレノイド本体側に設けられ、その端部を凹凸形状とした取付部と、
該取付部に対向するベース板側に設けられ、その端部を前記取付部と略同一の凹凸形状とした支持部とを、両者に隙間を持たせ、その端部同士を対向させて配置した上で、
両端部間に、プランジャ進退動方向の振動を減衰する防振部材を介装してなるものとしたことを特徴とする弾球発射装置の支持構造。
【請求項２】
前記取付部を取付基部に取付棒が突設されたものとし、
前記支持部を支持基部に支持棒が突設されたものとして、
隙間を持たせて対向させた取付棒と支持棒とを筒状の防振部材で接続した請求項１に記載の弾球発射装置の支持構造。
【請求項３】
前記取付部を取付基部に取付凹部が形成されたものとし、
前記支持部を支持基部に支持凹部が形成されたものとして、
隙間を持たせて対向させた取付凹部と支持凹部とを、両凹部に嵌め込んだ防振部材で接続した請求項１に記載の弾球発射装置の支持構造。
【請求項４】
防振部材に当接して横方向への座屈を防止する補強部材を、取付部若しくは支持部に設けた請求項１乃至３の何れかに記載の弾球発射装置の支持構造。
【発明の詳細な説明】
【技術分野】
【０００１】
本発明は、発射レール上の発射位置に置かれた球を弾球して遊技領域内に発射するための弾球発射装置の支持構造に関する。
【背景技術】
【０００２】
パチンコ機の弾球発射装置として、発射レール上の発射位置に置かれた球を弾球するプランジャと、コイルの励磁によりプランジャを進退動させるソレノイド本体とを備え、ベース板に螺着などにより固定されたものが知られている。このようなプランジャ型ソレノイドからなる弾球発射装置においては、プランジャの進退に伴い振動が発生し、この振動がベース板を介して操作ハンドルに伝達されて遊技者が不快感を感ずることがある。
【０００３】
このような問題を解決するために、特許文献１には、発射方向に平行な２本のガイドピン上の取付台にソレノイドを前後移動可能に取り付け、取付台の前後に防振部材を設けて防振するようにしたものが開示されている。しかしながら、このものはガイドピンを通じて振動がベース板に伝わるので、防振効果が十分とはいえない。
【０００４】
また、特許文献２には、ソレノイド本体の前後端に螺着された防振板をカバーにビス止めし、このカバーをベース板に螺着して、防振板によりプランジャの振動を防振したものが開示されている。しかしながら、このものは防振板を挟んで、ソレノイド本体の反対側にベース板側部材が存在しない。よって、プランジャ軸方向へのソレノイド本体の揺れが抑えられ難いため、次球の発射までにプランジャが十分静止しないので球発射強度にバラツキが生ずる。さらに、防振板との接続部は必ず４個所必要とし、３個所等に減少させて防振効果を高めることはできない。
【先行技術文献】
【特許文献】
【０００５】
【特許文献１】特開昭６２−２９２１８４号      （図２）
【特許文献２】特開平９−２０１４５１号公報    （図４）
【発明の概要】
【発明が解決しようとする課題】
【０００６】
本発明は、上記した従来の問題点に鑑み、防振効果に優れ且つ球発射強度にバラツキが生じない弾球発射装置の支持構造を提供することを課題とする。
【課題を解決するための手段】
【０００７】
上記の課題を解決するためになされた本発明に係る弾球発射装置の支持構造は、発射位置に置かれた球を弾球するプランジャと、プランジャを進退動させるソレノイド本体とを備える弾球発射装置を、ベース板に取り付けるための弾球発射装置の支持構造において、
前記ソレノイド本体は、その前後に配設された接続部を介して前記ベース板に取付けられるものとし、
該接続部は、
ソレノイド本体側に設けられ、その端部を凹凸形状とした取付部と、
該取付部に対向するベース板側に設けられ、その端部を前記取付部と略同一の凹凸形状とした支持部とを、両者に隙間を持たせ、その端部同士を対向させて配置した上で、
両端部間に、プランジャ進退動方向の振動を減衰する防振部材を介装してなるものとしたことを特徴とするものである。
【０００８】
上記した発明において、取付部を取付基部に取付棒が突設されたものとし、支持部を支持基部に支持棒が突設されたものとして、隙間を持たせて対向させた取付棒と支持棒とを筒状の防振部材で接続することができる。また、取付部を取付基部に取付凹部が形成されたものとし、支持部を支持基部に支持凹部が形成されたものとして、隙間を持たせて対向させた取付凹部と支持凹部とを、両凹部に嵌め込んだ防振部材で接続することもできる。さらに、防振部材に当接して横方向への座屈変形を防止する補強部材を、取付部若しくは支持部に設けることができる。
【発明の効果】
【０００９】
請求項１の発明は、ソレノイド本体側の取付部とベース板側の支持部との間に防振部材を介装して、ソレノイド本体を防振部材を介してベース板に取り付けたので、ソレノイド本体からベース板に直接振動が伝わることがない。防振部材を挟んでソレノイド本体と反対側にベース板側部材である支持部が存在するうえに、プランジャの振動を、防振部材の長手方向の振動で受け止めるので、振動の減衰が早く、よって、プランジャを早く静止させることができて、球発射強度にバラツキが生じない。さらに、取付部及び支持部の端部を凹凸形状とした上で、両者に隙間を持たせ、その端部同士を対向させて配置した上で、両端部間に防振部材を介装することにより接続部を構成するものとし、この接続部をソレノイド本体の前後に配設したので、振動の繰り返しによって防振部材がずれたり脱落したりすることがない。
【００１０】
請求項２及び３の発明は、取付基部と支持基部とが防振部材の両端を抑えるので、防振部材の位置がずれることはない。
請求項４の発明は、補強部材が防振部材の横方向への座屈変形を防止するので、ソレノイド本体が横揺れすることがない。
【図面の簡単な説明】
【００１１】
【図１】第１の実施形態の支持構造の正面図である。
【図２】図１のＡ−Ａ線断面図である。
【図３】図１のＢ−Ｂ線断面図である。
【図４】図１のＣ−Ｃ線断面図である。
【図５】図２の要部拡大図である。
【図６】第２の実施形態の支持構造の正面図である。
【図７】図６のＤ−Ｄ線断面図である。
【図８】第３の実施形態の支持構造の正面図である。
【図９】接続部の形態を例示する水平断面図である。
【発明を実施するための形態】
【００１２】
以下に、本発明の実施形態に付いて説明する。
図１〜５は、第１の実施形態の支持構造を示す図であって、１はパチンコ機に取り付けられるベース板、２は発射レール、３は弾球発射装置である。弾球発射装置３は、発射レール２の発射位置に置かれた球を弾球するプランジャ３１と、ソレノイドの励磁の繰り返しによりプランジャ３１を進退動させるソレノイド本体３２とを備えている。図３、４に示すように、ソレノイド本体３２の下部は、ベース板１に設けた穴１１に装入されており、ソレノイド本体３２とベース板１の穴１１の周囲とは離間されていて接触していない。すなわち、ソレノイド本体３２は、４個所の接続部４を介してのみベース板１と繋がっている。
【００１３】
接続部４は、ソレノイド本体３２の左右の側面の前側に２個所（４Ａ、４Ｃ）、後側に２個所（４Ｂ、４Ｄ）設けられている。なお、本明細書において、前、先とはプランジャ３１の先端３１ａ側、後とはプランジャ３１の後端３１ｂ側、横とはプランジャ３１の軸方向と直交する方向をいう。
【００１４】
接続部４は、ソレノイド本体３２側の取付部５とベース板１側の支持部６とからなる（図５）。ソレノイド本体３２はケーシング３３を有し、ケーシング３３から横に出っ張り３３ａが延出され（図１）、この出っ張り３３ａに取付部５が設けられている（図５）。取付部５においては、出っ張り３３ａの下方に取付基部５１が延設されている。図５中左側（４Ａ側）の取付基部５１からは前向きに取付棒５２が突設され、図５中右側（４Ｂ側）の取付基部５１からは後向きに取付棒５３が突設されている。
【００１５】
ベース板１には、ボス部１２が設けられ、このボス部１２に支持部６がネジＰ（図示しない）の挿通により固定されている。支持部６においては、支持基部６１が垂直方向に立設され、支持基部６１の側面から支持棒６２、６３が取付棒５２、５３に対向して水平状に延設されている。すなわち、図５中左側（４Ａ側）の支持基部６１からは後向きに支持棒６２が突設され、図５中右側（４Ｂ側）の支持基部６１からは前向きに支持棒６３が突設されている。
【００１６】
支持棒６２、６３を隙間をおいて取り囲んで環状の補強部材６７が形成されており、補強部材６７の下部には突起６８が設けられている。この突起６８はベース板１に設けたボス穴１３に嵌め込まれて、支持棒６２、６３の揺れを抑止して位置決めを行っている。
【００１７】
対向する取付棒５２と支持棒６２との間、取付棒５３と支持棒６３との間には隙間４３が設けてあって、ソレノイド本体３２からの振動の伝達を遮断するようにしてある。隙間４３は、０．５〜３ｍｍで足りる。
【００１８】
そして、取付棒５２と支持棒６２、取付棒５３と支持棒６３とを筒状の防振部材７で接続してある。防振部材５の形状は、円筒、多角筒、円錐筒などとすることができる。防振部材７として、天然ゴム、エラストマー、クロロプレン、ウレタンなどの合成ゴムを使用することができる。なお、防振部材７の一部を、図６、７に示す７ａのように減衰能を大きくした筒状のバネとすることもできる。
【００１９】
本発明の弾球発射装置の支持構造は、一対の逆向きとした接続部４Ａ、４Ｂを基本構造とする。すなわち、ソレノイド本体３２の前側の接続部４Ａにおいては、ソレノイド本体３２側の取付部５の前方にベース板１に固定された支持部６を配置し、ソレノイド本体３２の後側の接続部４Ｂにおいては、ソレノイド本体３２側の取付部５の後方にベース板１に固定された支持部６を配置する。防振部材７の端部は取付基部５１と支持基部６１に当接されている。前側の取付棒５２に装着された防振部材７は前端を前側の支持基部６１により挟まれ、後側の取付棒５３に装着された防振部材７は後端を後側の支持基部６１により挟まれているので、振動によって防振部材７が緩んだり脱落したりすることはない。
【００２０】
この対をなす接続部４Ａ、４Ｂをソレノイド本体３２の対角するコーナー付近に配置することによって、最低２個所の接続部、例えば図１の４Ａと４Ｄでもってソレノイド本体３２をベース板１に支持させることができる。また、図８のように、前側に１個所の接続部４Ｉ、後側に２個所の接続部４Ｊ、４Ｋの合計３個所の接続部とすることもできる。
【００２１】
以上のように構成されたものにおいては、ソレノイド本体３２が防振部材７を介してのみベース板１と繋がっているので、防振部材７が振動を効果的に吸収してベース板１に伝わる振動を小さいものとすることができる。また、防振部材７の長手方向で振動を吸収するので、ソレノイド本体３２の振動を速やかに減衰させて球の発射強度がばらつくことがない。
【００２２】
さらに、隙間４３部分の防振部材７の側方には、合成樹脂製の補強部材６７が当接してある（図４）。補強部材６７が防振部材７の横方向への座屈変形を抑制するので、取付棒５２、５３の横揺れ、すなわちソレノイド本体３２の横揺れを確実に防止することができる。
【００２３】
図９に接続部４の構造をまとめて示す。図においては、接続部４は前向きの取付棒５２を有するもののみを示してあるが、図示しない後向きの取付棒５３を有する接続部４と対をなしてソレノイド本体３２を支持する。図（ａ）に示すものは、図２に示したものであって、ソレノイド本体３２から横に取付基部５１が延設され、この取付基部５１から前向きに取付棒５２が突設されている。ベース板１には、支持基部６１が立設され、支持基部６１から後向きに支持棒６２が突設されている。取付棒５２と支持棒６２の間には、振動遮断用の隙間４３が設けてある。そして、取付棒５２と支持棒６２とをつないで筒状の防振部材７が装着されている。防振部材７がソレノイド本体３２の前後方向の振動を速やかに吸収するので、ベース板１への振動を非伝達とし、且つソレノイド本体３２を迅速に静止させる。
【００２４】
図（ｂ）に示すものにおいては、図（ａ）に示したものにおいて補強部材６７が支持基部６１から延出されて、防振部材７の横に当接されている。この補強部材６７は一部が内側の取付棒５２と重なり合うオーバーラップ部Ｌとしてあるので、防振部材７の横方向への変形を防止して、ソレノイド本体３２の横揺れを確実に防止することができる。
【００２５】
図（ｃ）に示すものにおいては、取付部５は、取付基部５１と、この取付基部５１に前向きに設けられた取付凹部５５とからなり、支持部６は、支持基部６１と、この支持基部６１から後向きに形成された支持凹部６６とからなる。取付凹部５５と支持凹部６６に防振部材７が嵌め込まれて、ソレノイド本体３２の振動を遮断している。
【００２６】
図（ｄ）のものは、図（ｃ）に示したものにおいて、取付凹部５５の外壁の一部５６が高く形成され、支持凹部６６の外壁の一部が高く形成されて補強部材６７を構成し、両者が重なり合うオーバーラップ部Ｌが形成してある。よって、オーバーラップ部Ｌが防振部材７の横方向への変形を防止して、ソレノイド本体３２の横揺れを確実に防止することができる。
【００２７】
図９に示す何れのものにおいても、防振部材７の両端は取付基部５１と支持基部６１で抑えられているので、振動の繰り返しによって防振部材７が外れたりすることはない。
【符号の説明】
【００２８】
１  ベース板、３  弾球発射装置、４、４Ａ、４Ｂ  接続部、５  取付部、６  支持部、７  防振部材、３２  ソレノイド本体
【図１】
0005671677.tif 000002
【図２】
0005671677.tif 000003
【図３】
0005671677.tif 000004
【図４】
0005671677.tif 000005
【図５】
0005671677.tif 000006
【図６】
0005671677.tif 000007
【図７】
0005671677.tif 000008
【図８】
0005671677.tif 000009
【図９】
0005671677.tif 000010